(57)【要約】【課題】被写体の人物を不快に感じさせることなく、補助光の波長帯域を適切に切り換える。【解決手段】補助光発光装置は、被写体に補助光を照射する照射手段１８と、被写体が人物を含むか否かを判定する人物判定手段２２と、人物判定手段２２による判定の結果に基づいて補助光の波長帯域を変化させる波長制御手段２２とを備える。【選択図】図１
2010056727.tif 000002
【特許請求の範囲】
【請求項１】
被写体に補助光を照射する照射手段と、
前記被写体が人物を含むか否かを判定する人物判定手段と、
前記人物判定手段による判定の結果に基づいて前記補助光の波長帯域を変化させる波長制御手段とを備えることを特徴とする補助光発光装置。
【請求項２】
請求項１に記載の補助光発光装置において、
前記波長制御手段は、前記人物判定手段により前記被写体が人物を含むと判定された場合には、前記補助光の波長帯域を近赤外領域を含む第１の波長帯域とし、前記人物判定手段により前記被写体が人物を含まないと判定された場合には、前記補助光の波長帯域を前記第１の波長帯域よりも短波長側に位置する第２の波長帯域とすることを特徴とする補助光発光装置。
【請求項３】
請求項１または２に記載の補助光発光装置において、
前記照射手段は、前記補助光を所定の輝度分布パターンで照射することを特徴とする補助光発光装置。
【請求項４】
請求項１〜３のいずれか一項に記載の補助光発光装置において、
前記波長制御手段は、前記補助光の波長帯域を連続的に変更可能であることを特徴とする補助光発光装置。
【請求項５】
請求項１〜４のいずれか一項に記載の補助光発光装置において、
前記被写体の明るさを検出する測光手段をさらに備え、
前記波長制御手段は、前記測光手段により検出された前記明るさが所定値よりも明るい場合には、前記人物判定手段による判定の結果に関わらず、前記補助光として近赤外域の波長を含む帯域の使用を禁止することを特徴とする補助光発光装置。
【請求項６】
請求項１〜５のいずれか一項に記載の補助光発光装置と、
光学系による前記被写体の像を撮像する撮像手段とを備え、
前記人物判定手段は、前記撮像手段により撮像された前記被写体の像に基づいて、前記被写体が人物を含むか否かを判定することを特徴とする撮像装置。
【請求項７】
請求項６に記載の撮像装置において、
前記光学系による画面内における前記被写体の位置を検出する位置検出手段をさらに備え、
前記波長制御手段は、前記位置検出手段により検出された前記位置が前記画面の周辺部である場合には、前記人物判定手段による判定の結果に関わらず、前記補助光として近赤外域の波長を含む帯域の使用を禁止することを特徴とする撮像装置。
【請求項８】
請求項６または７に記載の撮像装置において、
前記光学系の焦点調節状態を検出する焦点検出手段と、
前記補助光の波長帯域に応じて前記焦点調節状態を補正する補正手段とをさらに備えることを特徴とする撮像装置。
【発明の詳細な説明】
【技術分野】
【０００１】
本発明は、被写体を照射するための補助光を発光する補助光発光装置と、補助光発光装置を備えた撮像装置に関する。
【背景技術】
【０００２】
従来、被写体までの距離が遠い場合や被写体の輝度が低い場合に、補助光の波長帯域を切り換える撮影装置が知られている（特許文献１参照）。
【０００３】
【特許文献１】特開２００６−１７１１２０号公報
【発明の開示】
【発明が解決しようとする課題】
【０００４】
特許文献１に開示される撮影装置は、補助光の波長帯域を切り換えるときに被写体が人物であるか否かを考慮していない。したがって、切り換え後の波長帯域が人にとって眩しく感じやすい波長帯域であっても補助光の波長帯域が切り換えられてしまい、その結果、被写体の人物が不快に感じるという問題が生じる。
【課題を解決するための手段】
【０００５】
本発明による補助光発光装置は、被写体に補助光を照射する照射手段と、被写体が人物を含むか否かを判定する人物判定手段と、人物判定手段による判定の結果に基づいて補助光の波長帯域を変化させる波長制御手段とを備える。
本発明による撮像装置は、補助光発光装置と、光学系による被写体の像を撮像する撮像手段とを備え、人物判定手段は、撮像手段により撮像された被写体の像に基づいて、被写体が人物を含むか否かを判定する。
【発明の効果】
【０００６】
本発明によれば、被写体の人物を不快に感じさせることなく、補助光の波長帯域を適切に設定することができる。
【発明を実施するための最良の形態】
【０００７】
図１は、本発明の一実施の形態による補助光発光装置を適用したカメラの構成を示すブロック図である。図１に示すカメラは、カメラ本体１とレンズ部２によって構成される。レンズ部２は、撮影光学系を構成するレンズ３および５と、レンズ駆動機構４と、絞り６とを有する。なお、レンズ３は焦点調節レンズとして働く。
【０００８】
カメラ本体１は、メインミラー７、サブミラー８、焦点検出装置９、ファインダースクリーン１０、ペンタプリズム１１、接眼レンズ１２、接眼部１３、測光レンズ１４、測光センサ１５、液晶ディスプレイ１６、撮像素子１７、補助光発光装置１８、画像処理部２１、ＣＰＵ２２およびメモリ２３を有する。
【０００９】
レンズ駆動機構４は、ＣＰＵ２２の制御に応じて焦点調節レンズ３を光軸方向に移動させる。焦点調節レンズ３が移動することにより、撮影光学系の焦点調節状態が変化する。被写体からの光束は、レンズ３，５を介してカメラ本体１内に導かれる。この光束の一部は、ハーフミラーであるメインミラー７によって反射され、残りはメインミラー７を透過する。
【００１０】
メインミラー７で反射された光束は、ファインダースクリーン１０上に被写体像を投影する。この被写体像は、ペンタプリズム１１において反射された後、接眼レンズ１２を介して接眼部１３へ導かれる。撮影者であるユーザは、接眼部１３を覗くことにより、光学ファインダー像として被写体像を視認することができる。
【００１１】
また、ファインダースクリーン１０上に投影された被写体像は、ペンタプリズム１１において反射された後、測光レンズ１４を介して測光センサ１５へも導かれる。測光センサ１５は、この被写体像に基づいて被写体の明るさを検出し、検出結果に応じた測光信号をＣＰＵ２２へ出力する。ＣＰＵ２２は、測光センサ１５から出力された測光信号に基づいて、被写体像の明るさを求める。
【００１２】
一方、メインミラー７を透過した光束は、サブミラー８で反射され、焦点検出装置９へ導かれる。焦点検出装置９において、レンズ３、５による画面内には、所定の位置に１つまたは複数の焦点検出エリア（焦点検出位置）が設定されている。各焦点検出エリアには、図２に２００〜６００で示すような焦点検出光学系が備えられている。図２において、図１のレンズ３、５に対応する撮影光学系１００の領域１０１を介して入射した光束は、視野マスク２００、フィールドレンズ３００、絞り開口部４０１および再結像レンズ５０１を通り、イメージセンサーアレイ６００のＡ列上に結像する。このイメージセンサーアレイ６００のＡ列は、入射強度に応じた出力を発生する複数の光電変換画素を一次元状に並べたものである。また同様に、撮影光学系１００の領域１０２を介して入射した光束は、視野マスク２００、フィールドレンズ３００、絞り開口部４０２および再結像レンズ５０２を通り、イメージセンサーアレイ６００のＢ列上に結像する。このイメージセンサーアレイ６００のＢ列は、入射強度に応じた出力を発生する複数の光電変換画素を一次元状に並べたものである。
【００１３】
これらイメージセンサーアレイ６００のＡ列、Ｂ列上に結像した一対の被写体像は、撮影光学系１００が予定焦点面よりも前に被写体の鮮鋭像を結ぶいわゆる前ピン状態では互いに遠ざかり、逆に予定焦点面より後に被写体の鮮鋭像を結ぶいわゆる後ピン状態では互いに近づき、ちょうど予定焦点面に被写体の鮮鋭像を結ぶいわゆる合焦時にはイメージセンサーアレイ６００のＡ列、Ｂ列上の被写体像は所定の間隔になる。したがって、この一対の被写体像をイメージセンサーアレイ６００のＡ列、Ｂ列で光電変換して電気信号に変え、これらの信号をＣＰＵ２２により演算処理して一対の被写体像の相対位置ずれ量を求めることにより、撮影光学系１００の焦点調節状態、ここでは予定焦点面と結像面とのずれ量とその方向（以後、デフォーカス量と呼ぶ）が分かる。ＣＰＵ２２は、こうして算出したデフォーカス量に基づいてレンズ駆動機構４を制御し、焦点調節レンズ３の位置を調節する。
【００１４】
補助光発光装置１８は、被写体が暗いときに、焦点検出用の補助光を発光して被写体に照射する装置である。ＣＰＵ２２は、測光センサ１５から出力された測光信号に基づいて求めた被写体像の明るさにより、補助光の発光が必要か否かを判断し、必要と判断した場合は補助光発光装置１８を制御して補助光を発光させる。
【００１５】
図３は、補助光発光装置１８の構成を示す図である。補助光発光装置１８は、図３（ａ）に示すように、発光部１８ａ、１８ｂを有する。発光部１８ａは、近赤外領域を含む波長帯域の光を発光し、補助光として照射する。この場合、被写体が人物であるときに、その人物が不快に感じないような補助光を発光することができる。一方、発光部１８ｂは、発光部１８ａが発光する光の波長帯域よりも短波長側に位置する波長帯域、たとえば可視光領域の光を発光し、補助光として照射する。この場合、発光部１８ａが発する光を補助光として用いるよりも精度の高い焦点検出結果を得ることができる。なお、以下では、発光部１８ａが発する光を赤外光とし、発光部１８ｂが発する光を可視光として説明するが、光の波長帯域はこれに限定されるものではない。
【００１６】
図３（ｂ）は、補助光発光装置１８のうち発光部１８ａ、１８ｂの構成の概要を示す図である。図３（ｂ）に示すように、発光部１８ａ、１８ｂは、光源１８１、レンズ１８２および光学部材１８３をそれぞれ有する。光源１８１は、発光部１８ａの場合は赤外光を発し、発光部１８ｂの場合は可視光を発する。光源１８１には、たとえばＬＥＤ（Light Emitting Diode）などが使用される。光学部材１８３は、光軸と垂直な面方向に透過率が特定のパターンで変化するように構成されている。光源１８１から発せられた赤外光または可視光は、レンズ１８２および光学部材１８３を透過した後、補助光として発光部１８ａ、１８ｂからそれぞれ照射される。
【００１７】
ここで、光学部材１８３は上記のような透過率のパターンを有している。したがって、発光部１８ａ、１８ｂからは、所定の輝度分布パターン（周期性のない明暗の繰り返しパターン）で赤外光と可視光の補助光が選択的に照射される。これにより、たとえば投影面３０に符号１８４で示すような輝度分布パターンが投影される。図４は、ファインダー内における投影された輝度分布パターンとＡＦエリアの位置関係の一例を示すものである。ここでは、縦縞模様と横縞模様との組み合わせから成る輝度分布パターンを投影している。なお、輝度分布パターンに用いられる縞模様は、縦模様、横模様に限らず傾斜した縞模様を用いてもよい。縞模様の形状は、測距センサの形状に応じて変更してもよい。このような輝度分布パターン１８４に基づいてデフォーカス量を検出することにより、デフォーカス量の検出精度を高めることができる。
【００１８】
撮影時には、絞り６が所定の絞り値に調節されると共に、メインミラー７およびサブミラー８が上方に跳ね上げられ、撮影光路から退避される。これにより、レンズ３，５を介した光束が撮像素子１７に導かれ、撮像素子１７上に被写体の像が結像される。撮像素子１７は、この被写体像を撮像し、画像処理部２１へ画像信号を出力する。なお、絞り６の動作はＣＰＵ２２によって制御される。
【００１９】
画像処理部２１は、撮像素子１７から出力される画像信号に基づいて所定の画像処理を実行し、撮像画像を生成する。この撮像画像はＣＰＵ２２へ出力され、ＣＰＵ２２の制御により、液晶ディスプレイ１６に表示されると共に、図示しない記録媒体に記録される。
【００２０】
ＣＰＵ２２は、上記で説明したような様々な制御を実行する。メモリ２３は、画像処理部２１とＣＰＵ２２がそれぞれ行う処理や制御の作業エリアとして用いられ、その処理や制御の内容に応じて様々な情報を一時的に記憶する。
【００２１】
図５は、カメラ本体１における制御システムの構成を示す図である。この制御システムにおいて、ＣＰＵ２２は、人物判定部２２ａ、補助光発光制御部２２ｂ、焦点調節演算部２２ｃ、測光演算部２２ｄ、レンズ駆動制御部２２ｅ、撮影画像記録制御部２２ｆ、ＬＣＤ駆動部２２ｇ、および操作検出部２２ｈの各機能ブロックを仮想的に有している。
【００２２】
人物判定部２２ａは、撮像素子１７により撮像された被写体の像に基づいて、被写体が人物を含むか否かを判定する処理を行う。たとえば、人物の顔などの特徴を表す画像をテンプレート画像として予め登録しておき、この登録されたテンプレート画像と、撮像素子１７からの画像情報が表す撮像画像とを比較する。その結果、撮像画像中にテンプレート画像と一致または類似する部分が存在する場合は、被写体が人物を含むと判定する。
【００２３】
補助光発光制御部２２ｂは、後述する測光演算部２２ｄによって求められる被写体の明るさに基づいて、補助光発光装置１８の動作を制御する。この補助光発光制御部２２ｂは、被写体の明るさが暗くて正しいデフォーカス量が算出できないような場合には、補助光発光装置１８を制御して焦点検出用の補助光を被写体に照射させる。このとき、人物判定部２２ａの判定結果に基づいて、被写体が人物を含む場合には、発光部１８ａからの赤外光を補助光として補助光発光装置１８に照射させ、被写体が人物を含まない場合には、発光部１８ｂからの可視光を補助光として補助光発光装置１８に照射させる。これにより、補助光の波長帯域を変化させる。なお、このときの具体的な処理内容については、後で詳しく説明する。
【００２４】
焦点調節演算部２２ｃは、焦点検出装置９から出力される焦点検出信号に基づいて、レンズ３，５の焦点調節状態を示すデフォーカス量を演算する。測光演算部２２ｄは、測光センサ１５から出力される測光信号に基づいて、被写体の明るさ、すなわちレンズ３，５を介して入射された被写体からの反射光の明るさを演算する。
【００２５】
レンズ駆動制御部２２ｅは、焦点調節演算部２２ｃにより演算されたデフォーカス量に基づいて、レンズ駆動機構４の動作を制御する。これにより、焦点調節レンズ３がレンズ駆動機構４によって適切な位置に移動され、レンズ３，５の焦点が被写体に合わせて調節される。
【００２６】
撮影画像記録制御部２２ｆは、撮影によって取得された撮像画像を記録媒体に記録する際の制御を行う。また、記録媒体に記録された撮像画像の読み出しも、この撮影画像記録制御部２２ｆによって行われる。ＬＣＤ駆動部２２ｇは、液晶ディスプレイ１６に対する画像表示制御を行う。たとえば、撮影時のライブビュー画像や、記録媒体に記録された撮像画像を再生した画像や、メニュー画面などを液晶ディスプレイ１６に表示する。
【００２７】
操作検出部２２ｈは、各種操作部材の操作状態、たとえばシャッターボタンの操作状態などを検出する。なお、シャッターボタンは、半押しおよび全押しの二種類の操作状態を取り得る。半押しは焦点調節指示操作に対応する操作状態であり、全押しは撮影指示操作に対応する操作状態である。
【００２８】
次に、撮影時の処理内容について説明する。図６は、撮影時にＣＰＵ２２が実行する処理のフローチャートである。ステップＳ１０において、ＣＰＵ２２は、操作検出部２２ｈの機能により、シャッターボタンが半押し操作されたか否かを判定する。シャッターボタンが半押し操作された場合、ＣＰＵ２２は次のステップＳ２０へ進む。
【００２９】
ステップＳ２０において、ＣＰＵ２２は、測光センサ１５から出力される測光信号に基づいて、測光演算部２２ｄの機能により、被写体の明るさを検出する。ステップＳ３０において、ＣＰＵ２２は、ステップＳ２０で検出した被写体の明るさが所定の発光しきい値未満であるか否かを判定する。この発光しきい値は、被写体の明るさが暗くて正しいデフォーカス量が算出できないような状況に応じて予め定められている。被写体の明るさが発光しきい値未満であると判定した場合、ＣＰＵ２２はステップＳ４０へ進む。一方、被写体の明るさが発光しきい値以上であると判定した場合、ＣＰＵ２２はステップＳ１４０へ進む。この場合、補助光発光装置１８による焦点検出用の補助光の照射は行われない。
【００３０】
ステップＳ４０において、ＣＰＵ２２は、被写体像の撮像を行う。このときＣＰＵ２２は、前述したように絞り６を調節すると共に、メインミラー７およびサブミラー８を撮影光路から退避させる。そして、レンズ３，５による被写体の像を撮像素子１７により撮像し、撮像素子１７から出力された画像信号に基づいて画像処理部２１により生成される撮像画像を取得する。なお、このとき取得された撮像画像は記録媒体には記録されず、メモリ２３において一時的に記録される。
【００３１】
ステップＳ５０において、ＣＰＵ２２は、ステップＳ４０で取得された撮像画像に基づいて、人物判定部２２ａの機能により、前述のような方法で人物判定を行う。ステップＳ６０において、ＣＰＵ２２は、ステップＳ５０の人物判定の結果に基づいて、画面内における人物の有無を判定する。人物がある場合、すなわちステップＳ５０で被写体が人物を含むと判定した場合はステップＳ７０へ進み、人物がない場合、すなわちステップＳ５０で被写体が人物を含まないと判定した場合はステップＳ１３０へ進む。
【００３２】
ステップＳ７０において、ＣＰＵ２２は、ステップＳ２０で検出した被写体の明るさが所定の赤外光使用しきい値未満であるか否かを判定する。この赤外光使用しきい値は、前述の発光しきい値よりも小さな値で設定されており、焦点検出の補助光として赤外光を使用できるような状況に応じて予め定められている。被写体の明るさが赤外光使用しきい値未満であると判定した場合、ＣＰＵ２２はステップＳ８０へ進む。一方、被写体の明るさが赤外光使用しきい値以上であると判定した場合、ＣＰＵ２２はステップＳ１３０へ進む。この場合、ステップＳ５０における人物判定の結果に関わらず、補助光としての赤外光の使用が禁止される。
【００３３】
ステップＳ８０において、ＣＰＵ２２は、ステップＳ５０で人物であると判定した被写体の位置を検出する。なお、ここで検出される位置は、レンズ３，５による画面内における被写体の位置を表している。ステップＳ９０において、ＣＰＵ２２は、ステップＳ８０の検出結果に基づいて、画面周辺部に人物が存在するか否かを判定する。人物が画面周辺部に存在する場合、すなわちステップＳ８０において検出された被写体の位置が画面の周辺部である場合には、ＣＰＵ２２はステップＳ１３０へ進む。この場合、ステップＳ５０における人物判定の結果に関わらず、補助光としての赤外光の使用が禁止される。一方、人物が画面周辺部に存在しない場合、ＣＰＵ２２はステップＳ１００へ進む。なお、ステップＳ９０の判定時に用いる画面周辺部の範囲は、レンズ３，５による画面内において予め設定されている。
【００３４】
ステップＳ９０からステップＳ１００へ進んだ場合、ステップＳ１００においてＣＰＵ２２は、補助光発光制御部２２ｂの機能により、補助光発光装置１８に対して赤外光を発光させる赤外光発光制御を行う。これにより、補助光発光装置１８の発光部１８ａから赤外光が発光され、焦点検出用の補助光として被写体に照射される。
【００３５】
ステップＳ１１０において、ＣＰＵ２２は、焦点調節演算部２２ｃの機能により、焦点検出装置９から出力される焦点検出信号に基づく焦点検出を行う。これにより、焦点検出量としてデフォーカス量が演算される。ステップＳ１２０において、ＣＰＵ２２は、ステップＳ１１０で検出した焦点検出量すなわちデフォーカス量を所定の補正係数に基づいて補正する。このとき用いられる補正係数は、赤外光と可視光によるデフォーカス量の検出特性の違いに応じて予め定められている。ステップＳ１２０を実行したら、ＣＰＵ２２はステップＳ１５０へ進む。
【００３６】
一方、ステップＳ６０、Ｓ７０またはＳ９０からステップＳ１３０へ進んだ場合、ステップＳ１３０においてＣＰＵ２２は、補助光発光制御部２２ｂの機能により、補助光発光装置１８に対して可視光を発光させる可視光発光制御を行う。これにより、補助光発光装置１８の発光部１８ｂから可視光が発光され、焦点検出用の補助光として被写体に照射される。
【００３７】
ステップＳ１４０において、ＣＰＵ２２は、ステップＳ１１０と同様に、焦点調節演算部２２ｃの機能により、焦点検出装置９から出力される焦点検出信号に基づく焦点検出を行う。これにより、焦点検出量としてデフォーカス量が演算される。なお、ここで求められたデフォーカス量は、ステップＳ１１０の場合とは異なり補正されない。ステップＳ１４０を実行したら、ＣＰＵ２２はステップＳ１５０へ進む。
【００３８】
ステップＳ１５０において、ＣＰＵ２２は、ステップＳ１１０で検出されてステップＳ１２０で補正されたデフォーカス量、またはステップＳ１４０で検出されたデフォーカス量に基づいて、レンズ駆動制御部２２ｅの機能により焦点調節制御を行う。これにより、レンズ駆動機構４の動作が制御され、焦点調節レンズ３が適切な移動に移動される。
【００３９】
ステップＳ１６０において、ＣＰＵ２２は、操作検出部２２ｈの機能により、シャッターボタンが全押し操作されたか否かを判定する。シャッターボタンが全押し操作された場合、ＣＰＵ２２は次のステップＳ１７０へ進む。
【００４０】
ステップＳ１７０において、ＣＰＵ２２は、ステップＳ４０と同様にして被写体像の撮像を行う。ステップＳ１８０において、ＣＰＵ２２は、ステップＳ１７０の撮像によって取得された撮像画像を、撮影画像記録制御部２２ｆの機能により記録媒体に記録する。ステップＳ１８０を実行したら、ＣＰＵ２２は図６のフローチャートを終了する。撮影時には以上説明したような処理がＣＰＵ２２において実行される。
【００４１】
以上説明した実施の形態によれば、次の作用効果を奏することができる。
（１）本実施形態において、補助光発光装置１８は被写体に補助光を照射する。また、ＣＰＵ２２の処理により、被写体が人物を含むか否かを判定し（ステップＳ５０）、この判定の結果に基づいて補助光の波長帯域を変化させる（ステップＳ１００、Ｓ１３０）。このようにしたので、被写体の人物を不快に感じさせることなく、補助光の波長帯域を適切に切り換えることができる。
【００４２】
（２）ＣＰＵ２２は、ステップＳ５０において被写体が人物を含むと判定した場合には、ステップＳ１００を実行することにより、補助光発光装置１８によって照射する補助光の波長帯域を近赤外領域を含む波長帯域とする。一方、ステップＳ５０において被写体が人物を含まないと判定した場合には、ステップＳ１３０を実行することにより、補助光発光装置１８によって照射する補助光の波長帯域を上記波長帯域よりも短波長側に位置する波長帯域とする。このようにしたので、被写体が人物を含むときにはその人物が不快に感じないような波長帯域で補助光を照射すると共に、被写体が人物を含まないときには精度の高い焦点検出結果を得られるような波長帯域で補助光を照射することができる。
【００４３】
（３）補助光発光装置１８は、図４に示すような所定の輝度分布パターンで補助光を照射する。これにより、焦点検出の精度を高めることができる。
【００４４】
（４）ＣＰＵ２２は、測光センサ１５から出力される測光信号に基づいて被写体の明るさを検出する（ステップＳ２０）。この明るさが所定の赤外光使用しきい値よりも明るいか否かを判定し（ステップＳ７０）、赤外光使用しきい値よりも明るい場合には、ステップＳ５０の人物判定の結果に関わらず、ステップＳ１３０を実行することにより、補助光として近赤外域の波長を含む帯域の使用を禁止する。このようにしたので、被写体が人物を含む場合であっても、近赤外域の波長を含む帯域を使用するのが適さない状況であれば、これを禁止して最適な波長帯域とすることができる。
【００４５】
（５）撮像素子１７は、レンズ３，５による被写体の像を撮像する。こうして撮像された被写体の像に基づいて、ＣＰＵ２２はステップＳ５０の人物判定を行い、被写体が人物を含むか否かを判定する。したがって、カメラ本体１において特別な装置を搭載することなく、人物判定を確実に行うことができる。
【００４６】
（６）ＣＰＵ２２は、レンズ３，５による画面内における被写体の位置を検出する（ステップＳ８０）。こうして検出した被写体の位置が画面の周辺部であるか否かを判定し（ステップＳ９０）、画面の周辺部である場合には、ＣＰＵ２２は、ステップＳ５０の人物判定の結果に関わらず、ステップＳ１３０を実行することにより、補助光として近赤外域の波長を含む帯域の使用を禁止する。このようにしたので、被写体が人物を含む場合であっても、その人物が不快に感じないような状況であれば、被写体が人物を含まないときと同様に、精度の高い焦点検出結果を得られるような波長帯域で補助光を照射することができる。
【００４７】
（７）ＣＰＵ２２は、焦点検出装置９から出力される焦点検出信号に基づいて焦点検出を行い（ステップＳ１１０）、レンズ３，５の焦点調節状態を示すデフォーカス量を検出する。さらに、補助光発光装置１８によって照射する補助光の波長帯域に応じて、検出したデフォーカス量を補正する（ステップＳ１２０）。このようにしたので、赤外光と可視光によるデフォーカス量の検出特性の違いを適切に補正し、正確に焦点調節を行うことができる。
【００４８】
なお、上記実施の形態では、補助光発光装置１８において発光部１８ａと発光部１８ｂを切り換えて用いることにより補助光の波長帯域を変化させることとしたが、このようにせず、補助光の波長帯域を連続的に変更可能としてもよい。たとえば、グレーティングによる分光を利用して補助光の波長帯域を連続的に変更することができる。
【００４９】
図７は、グレーティングを用いた補助光発光装置１８の構成例を示す図である。図７において、光源１８１から発せられて入射スリット１８５およびレンズ１８６を通った光は、回折格子１８７に入射される。回折格子１８７は、入射された光のうち、その格子構造に応じた波長帯域の光を選択的に反射する。回折格子１８７によって反射された光は、レンズ１８８を透過した後、射出スリット１８９を通って外部に出力される。ここで、回折格子１８７が選択的に反射する光の波長帯域は、回折格子１８７を回転させることで任意に変更することができる。これにより、補助光発光装置１８から照射する補助光の波長帯域を連続的に変更することができる。
【００５０】
以上説明したようにして補助光の波長帯域を連続的に変更可能とすることで、状況に応じて補助光の波長帯域をより一層細かく制御することができる。なお、補助光の波長帯域を変更する方法は上記の例に限られるものではなく、他にも様々な方法を利用することができる。
【００５１】
本文中では、測光センサから出力された測光信号に基づいて求めた被写体像の明るさにより、補助光の発光が必要か否かを判断したが、焦点検出装置９からの入射光の輝度あるいはコントラストの情報から判断してもよいし、あるいは両者の組み合わせによって判断するようにしてもよい。
【００５２】
また、上記の実施の形態では、撮像素子１７により被写体の像を撮像し、この被写体の像に基づいて被写体が人物を含むか否かを判定することとしたが、撮像素子１７とは別に人物判定用の撮像素子を設け、これを用いて撮像した被写体の像に基づいて人物判定を行ってもよい。あるいは、測光センサ１５により被写体の像を撮像し、被写体が人物を含むか否かを判定するようにしてもよい。
【００５３】
本文中において、赤外光と可視光によるデフォーカス量の検出の特性の違いに応じて行う補正について述べたが、できるだけその補正の量を少なくするために近赤外でもより短い波長を使用するようにしてもよい。ただし、場合によっては、人間の眼に赤色の光が見えてしまうこともありうるので、補助光投影装置に特定の波長をカットするフィルタを配置してもよい。
【００５４】
上記の実施の形態では、撮像素子１７とは独立した焦点検出装置９によってレンズ３，５の焦点調節状態を検出するようにしたが、撮像素子１７の撮像画素配列中に焦点検出用の画素を混在して設けたものの出力に基づいて焦点検出してもよい。すなわち、撮像素子１７は、レンズ３，５を介した光を受光して画像信号を出力する撮像画素と、レンズ３，５を介した光を受光して焦点検出信号を出力する焦点検出画素とを含む複数の画素を有する。そして、ＣＰＵ２２は、焦点検出画素から出力される焦点検出信号に基づいてデフォーカス量を検出する。このようにしてもよい。なお、この場合に撮像素子１７の焦点検出画素は、たとえばマイクロレンズと一つまたは複数の光電変換部からなり、レンズ３，５の瞳の異なる領域を通過した一対の光束を受光するよう構成されている。そしてこの一対の光束の受光信号により、瞳分割方式の焦点検出を行うものである。
【図面の簡単な説明】
【００５５】
【図１】一実施の形態による補助光発光装置を適用したカメラの構成を示すブロック図である。
【図２】焦点検出光学系を示す図である。
【図３】補助光発光装置の構成を示す図である。
【図４】補助光の輝度分布パターン例を示す図である。
【図５】カメラ本体における制御システムの構成を示す図である。
【図６】撮影時にＣＰＵが実行する処理のフローチャートである。
【図７】グレーティングを用いた補助光発光装置の構成例を示す図である。
【符号の説明】
【００５６】
１  カメラ本体
２  レンズ部
９  焦点検出装置
１５  測光センサ
１７  撮像素子
１８  補助光発光装置
２２  ＣＰＵ
【図１】
2010056727.tif 000003
【図２】
2010056727.tif 000004
【図３】
2010056727.tif 000005
【図４】
2010056727.tif 000006
【図５】
2010056727.tif 000007
【図６】
2010056727.tif 000008
【図７】
2010056727.tif 000009